(57)【要約】【課題】シフトレバーの押し下げ方向の摺動性を向上することのできる変速操作装置を提供する。【解決手段】シフトレバー７の押し下げ操作によりリバース段へのシフト操作を行なう変速操作装置１であって、シフトレバー７を揺動可能に支持する支持手段５と、この支持手段５を押し下げ方向に摺動可能に保持する変速機ケース２に設けた保持手段３と、支持手段５と保持手段３との間に配置された支持手段５の熱膨張による変形を吸収可能な吸収手段４とを備え、この吸収手段４は略円筒形状に形成されて、内周面の保持手段３方向への変形を誘導する誘導手段と、この変形に基づく内周面の支持手段５方向への突出変形を防止可能な突出防止手段とを有している。【選択図】図１
2007223545.tif 000002
【特許請求の範囲】
【請求項１】
シフトレバーの押し下げ操作によりリバース段へのシフト操作を行なう変速操作装置であって、
前記シフトレバーを揺動可能に支持する支持手段と、
該支持手段を前記押し下げ方向に摺動可能に保持する変速機ケースに設けた保持手段と、
前記支持手段の熱膨張による変形を吸収可能な該支持手段と前記保持手段との間に配置された吸収手段と、
を備える変速操作装置。
【請求項２】
前記吸収手段は、外周面側に前記保持手段が配置され、内周面側に前記支持手段が配置される略円筒形状に形成されてなり、前記内周面の前記保持手段方向への変形を誘導する誘導手段と、該変形に基づく前記内周面の前記支持手段方向への突出変形を防止可能な突出防止手段とを有する手段である請求項１記載の変速操作装置。
【請求項３】
前記吸収手段は、前記外周面と前記内周面との間に円周方向に沿う複数の空間部を有し、前記誘導手段は、前記内周面と前記空間部とを隔てる第一隔壁を前記保持手段方向へ湾曲した形状に形成することで前記内周面の前記保持手段方向への変形を誘導する手段である請求項２記載の変速操作装置。
【請求項４】
前記誘導手段は、前記第一隔壁の少なくとも一部に他の部分に比して剛性の小さい低剛性部を形成することで前記内周面の前記保持手段方向への変形を誘導する手段である請求項３記載の変速操作装置。
【請求項５】
前記第一隔壁は、前記空間部同士を隔てる第二隔壁よりも剛性が小さい請求項３または４記載の変速操作装置。
【請求項６】
前記突出防止手段は、前記第二隔壁に対向する前記内周面を前記保持手段方向側へ凹ませた凹形状とすることで前記変形に基づく前記内周面の前記支持手段方向への突出変形を防止する手段である請求項２乃至５何れか記載の変速操作装置。
【請求項７】
前記吸収手段は、前記支持手段に比して熱膨張係数が大きい手段である請求項１乃至６何れか記載の変速操作装置。
【発明の詳細な説明】
【技術分野】
【０００１】
本発明は、変速操作装置に関するものである。
【背景技術】
【０００２】
従来、この種の変速操作装置としては、シフトレバーが、変速機ケース側に設けられる金属製のリテーナーに摺動可能に嵌合された樹脂製のボールシートによって球面支持されるものが提案されている。
この変速操作装置では、シフトレバーをボールシートを介して押し下げ操作することでリバースへのシフト操作が行なえるものとしている。
【特許文献１】特開２００３−１１８４１２号公報
【発明の開示】
【発明が解決しようとする課題】
【０００３】
しかしながら、こうした変速操作装置では、ボールシートがリテーナーに比して熱膨張係数が大きいことから、高温下の使用においては、ボールシートがリテーナー側に張り付き、シフトレバーの摺動不良が生ずる。
【課題を解決するための手段】
【０００４】
本発明は上記従来の問題点に鑑み案出したものであって、シフトレバーの押し下げ方向の摺動性を向上することを目的とし、その請求項１は、シフトレバーの押し下げ操作によりリバース段へのシフト操作を行なう変速操作装置であって、前記シフトレバーを揺動可能に支持する支持手段と、該支持手段を前記押し下げ方向に摺動可能に保持する変速機ケースに設けた保持手段と、前記支持手段の熱膨張による変形を吸収可能な該支持手段と前記保持手段との間に配置された吸収手段とを備えることである。
【０００５】
また、請求項２は、前記吸収手段は、外周面側に前記保持手段が配置され、内周面側に前記支持手段が配置される略円筒形状に形成されてなり、前記内周面の前記保持手段方向への変形を誘導する誘導手段と、該変形に基づく前記内周面の前記支持手段方向への突出変形を防止可能な突出防止手段とを有することである。
【０００６】
また、請求項３は、前記吸収手段は、前記外周面と前記内周面との間に円周方向に沿う複数の空間部を有し、前記誘導手段は、前記内周面と前記空間部とを隔てる第一隔壁を前記保持手段方向へ湾曲した形状に形成することで前記内周面の前記保持手段方向への変形を誘導する手段であることである。
【０００７】
また、請求項４は、前記誘導手段は、前記第一隔壁の少なくとも一部に他の部分に比して剛性の小さい低剛性部を形成することで前記内周面の前記保持手段方向への変形を誘導する手段であることである。
【０００８】
また、請求項５は、前記第一隔壁は、前記空間部同士を隔てる第二隔壁よりも剛性が小さいことである。
【０００９】
また、請求項６は、前記突出防止手段は、前記第二隔壁に対向する前記内周面を前記保持手段方向側へ凹ませた凹形状とすることで前記変形に基づく前記内周面の前記支持手段方向への突出変形を防止する手段であることである。
【００１０】
また、請求項７は、前記吸収手段は、前記支持手段に比して熱膨張係数が大きい手段であることである。
【発明の効果】
【００１１】
本発明は、シフトレバーの押し下げ操作によりリバース段へのシフト操作を行なう変速操作装置であって、前記シフトレバーを揺動可能に支持する支持手段と、該支持手段を前記押し下げ方向に摺動可能に保持する変速機ケースに設けた保持手段と、前記支持手段の熱膨張による変形を吸収可能な該支持手段と前記保持手段との間に配置された吸収手段とを備えることにより、吸収手段が支持手段の熱膨張による変形を吸収するから、支持手段の保持手段に対する摺動不良を防止することができる。この結果、シフトレバーの押し下げ方向の摺動性が向上する。
【００１２】
また、前記吸収手段は、外周面側に前記保持手段が配置され、内周面側に前記支持手段が配置される略円筒形状に形成されてなり、前記内周面の前記保持手段方向への変形を誘導する誘導手段と、該変形に基づく前記内周面の前記支持手段方向への突出変形を防止可能な突出防止手段とを有することにより、熱膨張による吸収手段の内周面の変形が保持手段方向へ誘導されるとともに、この保持手段方向への変形に基づいて内周面が支持手段方向へ変形しても内周面から突出して変形することがないから、支持手段の熱膨張による保持手段方向への変形を良好に吸収することができる。この結果、シフトレバーの押し下げ方向の摺動性を向上することができる。
【００１３】
また、前記吸収手段は、前記外周面と前記内周面との間に円周方向に沿う複数の空間部を有し、前記誘導手段は、前記内周面と前記空間部とを隔てる第一隔壁を前記保持手段方向へ湾曲した形状に形成することで前記内周面の前記保持手段方向への変形を誘導する手段であることにより、こうすれば、簡易な構成で吸収手段の内周面を保持手段方向へ変形させることができる。
【００１４】
また、前記誘導手段は、前記第一隔壁の少なくとも一部に他の部分に比して剛性の小さい低剛性部を形成することで前記内周面の前記保持手段方向への変形を誘導する手段であることにより、こうすれば、より効果的に吸収手段の内周面の変形を保持手段方向へ誘導することができる。
【００１５】
また、前記第一隔壁は、前記空間部同士を隔てる第二隔壁よりも剛性が小さいことにより、こうすれば、より効果的に吸収手段の内周面の変形を保持手段方向へ誘導することができる。
【００１６】
また、前記突出防止手段は、前記第二隔壁に対向する前記内周面を前記保持手段方向側へ凹ませた凹形状とすることで前記変形に基づく前記内周面の前記支持手段方向への突出変形を防止する手段であることにより、こうすれば、簡易な構成で吸収手段の内周面の支持手段方向への突出変形を防止することができる。
【００１７】
また、前記吸収手段は、前記支持手段に比して熱膨張係数が大きい手段であることにより、こうすれば、より効果的に支持手段の熱膨張による保持手段方向への変形を吸収することができる。この結果、シフトレバーの押し下げ方向の摺動性を向上することができる。
【実施例１】
【００１８】
以下、本発明の実施例を図面に基づいて説明する。
図１は、変速操作装置の概略構成図であり、変速操作装置１は、変速機ケース２に取り付けられた保持手段を構成する上面側が開放された略筒状の金属製リテーナー３の内周に、吸収手段を構成する樹脂リング４が段部３ａに係止されて圧入固定されており、この樹脂リング４の内周側に、上下方向に摺動移動可能に支持手段を構成する樹脂製の樹脂ソケット５が設けられており、この樹脂ソケット５には球面係合部５ａが形成され、この球面係合部５ａにシフトレバー７の球面部７ａが嵌め込まれて、シフトレバー７は樹脂ソケット５に揺動可能に支持されている。
【００１９】
なお、樹脂ソケット５は、リテーナー３と樹脂ソケット５間に縦設されているコイルスプリング６により、常には上方へ付勢された状態となっている。
なお、シフトレバー７の下端の接続部７ｂは、ストライキングアーム８に摺動可能に接続され、ストライキングアーム８はストライキングロッド９に接続されている。
【００２０】
このような構造において、リバース側へシフト操作する際には、シフトレバー７が押し下げ操作され、このリバースシフト操作時に、樹脂ソケット５が樹脂リング４の内周に沿って下方側へ摺動移動するものであるが、高温下の使用において樹脂ソケット５が膨張した状態でも、下方側への摺動不良が生じないように、樹脂リング４は、図２の斜視図で、また図３の平面拡大図で示すような構造に設定されている。
【００２１】
樹脂リング４は、樹脂ソケット５よりも熱膨張係数が大なる樹脂で筒状に形成され、リテーナー３の内周に圧入固定される外周リング部１４の内周側には、円周方向に所定間隔で複数の第二隔壁１５，１５，１５が突出形成されており、各第二隔壁１５の樹脂ソケット５の外周と対面する内周側には、外周リング部１４側へ湾曲状に凹ませて突出防止凹部１５ａが形成され、この突出防止凹部１５ａが突出防止手段を形成している。
【００２２】
この各突出防止凹部１５ａの周方向両端側に、樹脂ソケット５側へ張り出して内周面基部１７，１７が形成されており、この内周面基部１７から連続して外周リング部１４側へ弓状に湾曲して第一隔壁１７ａが形成され、この第一隔壁１７ａは、その肉厚（径方向）が第二隔壁１５の肉厚（周方向）に比して小さいものとなっており、さらに、第一隔壁１７ａの長さ（周方向）が第二隔壁１５の長さ（径方向）に比して大きいものとなっている。即ち、第一隔壁１７ａは、第二隔壁１５よりも剛性が低い低剛性部となっており、この第一隔壁１７ａが誘導手段を形成している。
この第二隔壁１５，１５の内側に連続した内周面基部１７と第一隔壁１７ａとが内周面となっており、第一隔壁１７ａと外周リング部１４間の各第二隔壁１５，１５間には空間部１６が設けられ、この空間部１６は上下方向に貫通状に形成されたものとなっている。
【００２３】
このような構造の樹脂リング４を、リテーナー３の内周と樹脂ソケット５の外周間に設けておけば、高温下の使用において、樹脂ソケット５はリテーナー３側へ膨張変形することとなるが、この膨張変形を樹脂リング４で良好に吸収することができるものである。
【００２４】
即ち、弓状に湾曲した剛性の低い第一隔壁１７ａは、空間部１６が形成されているため、熱膨張により容易にリテーナー３側に変形することができるため、高温下では、図４の要部平面構成図の実線で示すように、第一隔壁１７ａは熱膨張で弓反りが強くなり外周リング部１４側へ変形することとなるが、この第一隔壁１７ａの外周リング部１４側への変形に伴い内周面基部１７は円周方向に引っ張り力を受け、この時に第二隔壁１５に湾曲状に形成されている突出防止凹部１５ａが内周側へ引っ張られて湾曲形状は緩やかなものとなり、これにより内周面基部１７の最小内径は、熱膨張が生じた時にもほぼ変わらないものとなる。
【００２５】
このように、第一隔壁１７ａがリテーナー３方向へ変形しても、内周面基部１７は内周面から突出することがないため、樹脂ソケット５の熱膨張によるリテーナー３方向への変形を良好に樹脂リング４で吸収することができ、高温時においてもシフトレバー７が押し下げられた時に樹脂ソケット５は良好に下方側へ摺動できるものとなる。しかも、熱膨張が生じた時にも内周面基部１７の最小内径がほぼ変わらないため、樹脂ソケット５と樹脂リング４とのクリアランスがほぼ一定に保たれ、樹脂ソケット５の樹脂リング４に対するガタつきも生じない。
【００２６】
なお、樹脂ソケット５に比して樹脂リング４の熱膨張係数を大に設定しておけば、より効果的に樹脂ソケット５の熱膨張によるリテーナー３側への変形を吸収することができ、シフトレバー７の押し下げ方向の摺動性がより向上するものとなる。
【実施例２】
【００２７】
次に、本発明の第２実施例の変速操作装置について説明する。
図５は、第２実施例の変速操作装置における樹脂リングの要部平面拡大図である。
第２実施例の変速操作装置における樹脂リング４は、図示するように、第一隔壁１７ａの内周面基部１７側に外周リング１４側へ内周側から凹ませて形成された変形誘導凹部１７ｂと、第二隔壁１５の突出防止凹部１５ａの空間部１６側に凹み状に形成された変形誘導凹部１５ｂとを備える点を除いては第１実施例の変速操作装置における樹脂リング４と同一の構成をしている。
【００２８】
第２実施例の変速操作装置における樹脂リング４では、変形誘導凹部１７ｂや変形誘導凹部１５ｂの部分の剛性が低いために、高温時に図６の実線で示すように、この変形誘導凹部１７ｂ，１５ｂを起点として膨張により第一隔壁１７ａが折れ曲がって周方向へ延びて、良好に第一隔壁１７ａが変形されることとなり、内周面基部１７の内周側への突出が起こらず、内周基部１７の最小内径はほぼ変わらないものとなり、樹脂ソケット５の熱膨張によるリテーナー３方向への変形を良好に樹脂リング４で吸収することができるものとなり、シフトレバー７の押し下げ方向の摺動性が向上するものとなる。
【００２９】
各実施例の変速操作装置では、樹脂リング４は、樹脂ソケット５よりも熱膨張係数が大きい樹脂で形成するものとしたが、樹脂リング４は、樹脂ソケット５と同じ熱膨張係数の樹脂で形成するものとしても構わない。
【００３０】
以上、本発明の実施の形態について実施例を用いて説明したが、本発明はこうした実施例に限定されるものではなく、本発明の要旨を逸脱しない範囲内において、種々なる形態で実施し得ることは勿論である。
【図面の簡単な説明】
【００３１】
【図１】変速操作装置の概略縦断面構成図である。
【図２】リテーナーと樹脂ソケット間に吸収手段である樹脂リングを設けた斜視構成図である。
【図３】図２の平面拡大構成図である。
【図４】樹脂リングの熱膨張による変形状態を示す要部平面拡大構成図である。
【図５】樹脂リングの変形例を示す要部平面拡大構成図である。
【図６】図５の樹脂リングが高温時に熱膨張した状態の平面拡大構成図である。
【符号の説明】
【００３２】
１  変速操作装置
２  変速機ケース
３  リテーナー（保持手段）
４  樹脂リング（吸収手段）
５  樹脂ソケット（支持手段）
７  シフトレバー
７ａ  球面部
８  ストライキングアーム
９  ストライキングロッド
１４  外周リング部
１５  第二隔壁
１５ａ  突出防止凹部
１５ｂ  変形誘導凹部
１６  空間部
１７  内周面基部
１７ａ  第一隔壁
１７ｂ  変形誘導凹部
【図１】
2007223545.tif 000003
【図２】
2007223545.tif 000004
【図３】
2007223545.tif 000005
【図４】
2007223545.tif 000006
【図５】
2007223545.tif 000007
【図６】
2007223545.tif 000008